(57)【要約】      （修正有）【課題】弛緩又は脱離が容易に生じることがないヘルメット係合具構造を提供する。【解決手段】ケーシングベース１と当接ユニット２と、係合帯３とからなり、ケーシングベースに、係合帯の入口と出口１４が設けられ、その内部に、収納室１６が形成され、当接部１６１が設置され、それに対応して、ストッパー１６２が設置され、さらに、固定部１７と摺動槽及びノッチ１９が設けられる。当接ユニットには、ローラー２１が設置され、その周りに、複数の当接ブロック２２が設けられ、ローラーに、軸棒２３が貫設され、軸棒の両端が摺動槽内に位置し、また、軸棒に引棒２４が設置され、引棒の一端にレバー２５が設けられ、引棒に弾性素子２６が嵌設される。当接ブロックが当接部に当接して圧迫力を発生し、入口から挿入された係合帯が、その圧迫力を受けて定位する。【選択図】図１
0003193324.tif 000002
【実用新案登録請求の範囲】
【請求項１】
ケーシングベースと、当接ユニットと、係合帯とからなるヘルメット係合具構造であって、
上記ケーシングベースは、入口と出口が設けられ、内部に、収納室が形成され、上記収納室が、上記入口と上記出口に連通し、上記収納室の内部において、上記入口と上記出口との間に、当接部が設けられ、上記当接部に対応した位置に、ストッパーが設置され、固定部が設けられ、両側に、摺動槽が形成され、そして、ノッチが形成され、
上記当接ユニットは、上記ケーシングベースの収納室内に設置され、少なくとも一つのローラーが設けられてあり、上記ローラーが、上記入口と出口の間に位置し、上記ローラーの周縁に、リング状に、複数の当接ブロックが設けられ、上記ローラーに、軸棒が貫設され、上記軸棒の両端が、それぞれ、上記二つの摺動槽内に位置し、上記軸棒に、引棒が固定され、上記引棒の一端に、レバーが設置され、上記レバーが、上記ノッチから伸びだし、上記引棒で上記ローラーの当接ブロックを当接することにより、それぞれ、上記当接部に対して圧迫力が発生し、上記ストッパーに当接し、
上記係合帯は、上記ケーシングベースの入口から伸び入れて、上記出口から伸びだし、上記当接ブロックの圧迫力によって、所定の位置に当接する
ことを特徴とするヘルメット係合具構造。
【請求項２】
上記ケーシングベースが、それぞれ、二つに分けられた第一ケーシング体と第二ケーシング体を対向結合するものであることを特徴とする請求項１に記載のヘルメット係合具構造。
【請求項３】
上記第一ケーシング体と上記第二ケーシング体の結合方式が、高周波接着方式、融合方式、嵌合方式又は螺着方式であることを特徴とする請求項2に記載のヘルメット係合具構造。
【請求項４】
上記入口が、上記第一ケーシング体の先端に形成され、上記出口が、上記第一ケーシング体の上縁に形成されることを特徴とする請求項2に記載のヘルメット係合具構造。
【請求項５】
上記収納室が、上記第一ケーシング体と上記第二ケーシング体の内部に、それぞれ、半分の収納室が形成されるように、上記第一ケーシング体と上記第二ケーシング体の内部に形成されることを特徴とする請求項2に記載のヘルメット係合具構造。
【請求項６】
上記当接部が、上記第一ケーシング体に設けられ、上記ストッパーが、対応して上記第二ケーシング体に設けられることを特徴とする請求項2に記載のヘルメット係合具構造。
【請求項７】
上記固定部が、上記第二ケーシング体の裏縁に設けられることを特徴とする請求項2に記載のヘルメット係合具構造。
【請求項８】
上記摺動槽が、上記第一ケーシング体の両内側に形成されることを特徴とする請求項2に記載のヘルメット係合具構造。
【請求項９】
上記ノッチが、上記第一ケーシング体の裏縁の上方に位置し、上記ノッチの両側に、それぞれ、係止片が設けられることを特徴とする請求項2に記載のヘルメット係合具構造。
【請求項１０】
上記係合帯に、少なくとも一つの固定孔が形成され、上記第一ケーシング体に、固定柱が形成され、上記固定柱が上記固定孔に嵌合することを特徴とする請求項2に記載のヘルメット係合具構造。
【請求項１１】
上記当接部が、階段状に形成されることを特徴とする請求項1に記載のヘルメット係合具構造。
【請求項１２】
上記引棒に、弾性素子が設けられ、上記弾性素子が、上記収納室の壁面と上記引棒との間に位置するように、上記収納室内に設置され、上記ローラーの当接ブロックを附勢して、上記圧迫力を発生させることを特徴とする請求項１又は2に記載のヘルメット係合具構造。
【考案の詳細な説明】
【技術分野】
【０００１】
本考案は、ヘルメット係合具構造に関するものであり、さらに詳しくは、無段状態で、係合帯に対して、係合する場合の長さと緊張度を調整できると共に、衝撃を受けても、容易に脱離することなく、また、高速走行する場合においても、風圧抵抗によって所定の位置から離れることのないヘルメットの係合具に関するものである。
【背景技術】
【０００２】
従来のヘルメット係合具によれば、雄係合具と雌係合具とが設けられてあり、雄係合具は、その弾性係止片の一端に、金属片が一体成型されたものである。雌係合具は、その挿入孔の開口端の上縁に、金属片が一体成型され、雄係合の弾性係止片が結合された一端が、雌係合具の挿入孔内に挿設されると、雄係合具の弾性係止片が、雌係合具の挿入孔開口端の上縁に係合されて、雄係合具の弾性係止片の金属片と、雌係合具の金属片とが接触し、これにより、軽量且つ低コストで、テスト基準を満足でき、容易に摩耗や破壊されることのないヘルメット係合具を実現することができるとされている。
【０００３】
しかしながら、上記の従来の係合具は、その係合解除は、上記雄係合具を押すことにより、上記雌係合具を分離することにより行われる。このような係合解除方式は、その衝撃点が多く、不意に衝撃を受けると、自動的に係合解除され、それにより、ヘルメットが、ユーザーの頭部から分離して、保護作用を失ってしまい、或いは、高速走行の時、風圧抵抗が大きくなると、ヘルメットが、所定の位置から離れたり、脱落したりする恐れがあり、実用上、潜在的なリスクが存在するものであった。
【０００４】
また、軽度押圧式係合具構造によれば、雌係止部材と雄係止部材及び弾性止めブロックから構成される。上記雌係止部材の一端に、リング状孔、もう一端に、挿設槽が設けられ、挿設槽内に、斜めの係止ブロックが形成され、挿設槽に、係止ブロックが係止される開口が形成される。雄係止部材の一端に、リング状孔が設けられ、もう一端に、挿設片が設けられ、挿設片に、定位槽が形成される。弾性係止ブロックの上端に、押圧板が設けられ、底端に、リング状の係合具が形成される。係合具内に、傾斜ラッチが形成され、係合具に、伸長度の大きい弾性片が設置される。係止ブロックの両側に、雌係止部材開口側の係止段に結合されて脱離しない係合突出が形成され、弾性係止ブロックが、雌係止部材の開口に係合でき、その弾性片が、挿設槽内の係止ブロックに当接し、係止ブロックが、開口に位置し、雄係止部材が、雌係止部材に挿入されると、定位槽と斜めの係止ブロックとが、互いに係合できる。
【０００５】
しかしながら、上記の従来の係合具も、  押圧方式により、係合解除を行い、そのため、衝撃点が多くなり、自動的に、係合解除され、また、高速走行時には、風圧抵抗が大きくなると、ヘルメットが、所定の位置から離れたり、脱落したりする恐れがあり、実用上、潜在的リスクが存在するという問題がある。
【考案の概要】
【考案が解決しようとする課題】
【０００６】
本考案の主な目的は、無段状態で、自由に、係合時の長さとその緊張度を調整するように、上記係合帯を引くことができ、これにより、迅速にヘルメットを係合固定でき、容易に脱落することのないヘルメット係合具構造を提供することにある。
【０００７】
本考案の他の目的は、レバーを引くことにより解除される方式を利用して、上記係合帯の収斂作用が解除され、衝撃点が存在することがなく、異なる方向から大きい力によって衝撃されても、上記ノッチの両側にある係止片で、保護でき、また、上記係合帯が上記レバーを覆って、上記レバーが、衝撃を受けても、容易に弛緩及び脱離をすることないため、ユーザーに対し使用安全性を確保できるヘルメット係合具構造を提供することにある。
【０００８】
本考案の更に他の目的は、特に、高速走行する場合において、風圧抵抗によって、ヘルメットが所定の位置から離れることや緩められることがなく、更に、ヘルメットの使用安全性が確保されるヘルメット係合具構造を提供することにある。
【０００９】
本考案の更に他の目的は、摺動槽が、上記第一ケーシング体の二つの内側に形成され、上記ローラーの軸棒の両端が、上記両摺動槽内において、所定の位置だけに、変位し、上記ケーシングベースから露出しないため、衝撃点がなく、衝撃によって、自動的に係合解除される恐れがなく、使用者の安全が確保されるヘルメット係合具構造を提供することにある。
【課題を解決するための手段】
【００１０】
かくして、請求項１の考案によれば、
ケーシングベースと、当接ユニットと、係合帯とからなるヘルメット係合具構造であって、
上記ケーシングベースは、入口と出口が設けられ、内部に、収納室が形成され、上記収納室が、上記入口と上記出口に連通し、上記収納室の内部において、上記入口と上記出口との間に、当接部が設けられ、上記当接部に対応した位置に、ストッパーが設置され、固定部が設けられ、両側に摺動槽が形成され、そして、ノッチが形成され、
上記当接ユニットは、上記ケーシングベースの収納室内に設置され、少なくとも一つのローラーが設けられてあり、上記ローラーが、上記入口と出口の間に位置し、上記ローラーの周縁に、リング状に、複数の当接ブロックが設けられ、上記ローラーに、軸棒が貫設され、上記軸棒の両端が、それぞれ、上記二つの摺動槽内に位置し、上記軸棒に、引棒が固定され、上記引棒の一端に、レバーが設置され、上記レバーが、上記ノッチから伸びだし、上記引棒で上記ローラーの当接ブロックを当接することにより、それぞれ、上記当接部に対して、圧迫力が発生し、上記ストッパーに当接し、
上記係合帯は、上記ケーシングベースの入口から伸び入れて、上記出口から伸びだし、上記当接ブロックの圧迫力によって、所定の位置に当接する
ことを特徴とするヘルメット係合具構造が提供される。
【００１１】
請求項２の考案によれば、上記ケーシングベースが、それぞれ、二つに分けられた第一ケーシング体と第二ケーシング体を対向結合するものであることを特徴とする請求項１に記載のヘルメット係合具構造が提供される。
【００１２】
請求項３の考案によれば、上記第一ケーシング体と上記第二ケーシング体の結合方式が、高周波接着方式や融合方式、嵌合方式或いは螺着方式であることを特徴とする請求項2に記載のヘルメット係合具構造である。
【００１３】
請求項４の考案によれば、上記入口が、上記第一ケーシング体の先端に形成され、上記出口が、上記第一ケーシング体の上縁に形成されることを特徴とする請求項2に記載のヘルメット係合具構造が提供される。
【００１４】
請求項５の考案によれば、上記収納室が、上記第一ケーシング体と上記第二ケーシング体の内部に、それぞれ、半分の収納室が形成されるように、上記第一ケーシング体と上記第二ケーシング体の内部に形成されることを特徴とする請求項2に記載のヘルメット係合具構造が提供される。
【００１５】
請求項６の考案によれば、上記当接部が、上記第一ケーシング体に設けられ、上記ストッパーが、対応して上記第二ケーシング体に設けられることを特徴とする請求項2に記載のヘルメット係合具構造が提供される。
【００１６】
請求項７の考案によれば、上記固定部が、上記第二ケーシング体の裏縁に設けられることを特徴とする請求項2に記載のヘルメット係合具構造が提供される。
【００１７】
請求項８の考案によれば、上記摺動槽が、上記第一ケーシング体の両内側に形成されることを特徴とする請求項2に記載のヘルメット係合具構造が提供される。
【００１８】
請求項９の考案によれば、上記ノッチが、上記第一ケーシング体の裏縁の上方に位置し、上記ノッチの両側に、それぞれ、係止片が設けられることを特徴とする請求項2に記載のヘルメット係合具構造が提供される。
【００１９】
請求項１０の考案によれば、上記係合帯に、少なくとも一つの固定孔が形成され、また、上記第一ケーシング体に、固定柱が形成され、上記固定柱が上記固定孔に嵌合することを特徴とする請求項2に記載のヘルメット係合具構造が提供される。
【００２０】
請求項１１の考案によれば、上記当接部が、階段状に形成されることを特徴とする請求項1に記載のヘルメット係合具構造が提供される。
【００２１】
請求項１２の考案は、上記引棒に、弾性素子が設けられ、上記弾性素子が、上記収納室の壁面と上記引棒との間に位置するように、上記収納室内に設置され、上記ローラーの当接ブロックを附勢して上記圧迫力を生成することを特徴とする請求項１又は2に記載のヘルメット係合具構造である。
【考案の効果】
【００２２】
本考案は、上記の通りの構成からなるものであり、係合帯を引くことにより、迅速にヘルメットを係合固定することができると共に、外力により衝撃を受けても固定状態が容易に弛緩し、離脱することがないヘルメット係合構造を提供することができる。
【考案を実施するための最良の形態】
【００２３】
以下、図面を参照しながら、本考案の特徴や技術内容について、詳しく説明するが、それらの図面等は、参考や説明のためのものであり、本考案は、それらによって限定されるものではない。
【００２４】
図１と図２に示すように、本考案に係るヘルメット係合具によれば、ケーシングベース１と当接ユニット２及び係合帯３から構成される。
【００２５】
ケーシングベース１は、二つに分けられた第一ケーシング体１１と第二ケーシング体１２とを対向して結合したものからなる。上記第一ケーシング体１１と上記第二ケーシング体１２との結合方式は、高周波接着や融合、嵌合或いは螺着等方式によって行われる。本実施形態においては、高周波接着方式を例として説明する。上記第一ケーシング体１１は、先端に、斜めの入口１３が設けられ、また、上記第一ケーシング体１１は、上縁に、出口１４と、対応した固定柱１５とが、設置され、上記第一ケーシング体１１と上記第二ケーシング体１２との内部により、中空の収納室１６が形成される。即ち、上記第一ケーシング体１１と上記第二ケーシング体１２との内部に、それぞれ、半分の収納室１６が形成される。また、上記収納室１６が、上記入口１３と出口１４に連通され、上記第一ケーシング体１１は、上記収納室１６内において、上記入口１３と上記出口１４との間の位置に、図３に示すように、階段状の当接部１６１が設けられる。また、上記第二ケーシング体１２には、上記収納室１６内の底縁において、上記当接部１６１に対応した位置に、歯状のストッパー１６２が形成される。また、上記第二ケーシング体１２の裏縁に、固定部１７が設けられ、また、上記第一ケーシング体１１の両内側に、図７に示すように、ともに、対向する摺動槽１８が形成される。上記第一ケーシング体１１の裏縁において、上方に、ノッチ１９が貫設され、上記ノッチ１９の両側に、それぞれ、係止（行き止め）片１９１が設けられる。
【００２６】
当接ユニット２は、上記ケーシングベース１の収納室１６内に設置される。上記当接ユニット２は、少なくとも一つのローラー２１が設けられ、本実施形態によれば、二つの対向して並列したローラー２１が設置される。上記ローラー２１は、図３に示すように、上記第一ケーシング体１１の入口１３と出口１４との間に位置し、上記ローラー２１の周縁に、リング状に複数の当接ブロック２２が設けられる。また、上記二つのローラー２１に、一つの軸棒２３が貫設され、上記軸棒２３の両端が、それぞれ、上記第一ケーシング体１１の両内側に設けてある摺動槽１８内に位置し、これにより、上記軸棒２３によって、上記ローラー２１が、上記ケーシングベース１の収納室１６内において、所定の範囲内で摺動できる。また、上記二つのローラー２１の間に設けてある軸棒２３に、引棒２４が固定され、上記引棒２４の一端に、レバー２５が設けられ、上記レバー２５に、シース２５１が設けられる。また、上記レバー２５が、上記第一ケーシング体１１のノッチ１９から伸びだし、上記ノッチ１９の両側に設けてある係止片１９１により、上記レバー２５が、衝撃を受けたとしても、弛緩及び脱離することを防止することがでる。また、上記引棒２４の後端に、弾性素子２６が嵌設され、上記弾性素子２６が、上記ケーシングベース１の収納室１６内に位置し、上記収納室１６の裏縁の壁面と上記レバー２５との間に設置されて、上記レバー２５と上記ローラー２１を附勢し、上記の当接ブロック２２により、それぞれ、上記ケーシングベース１の収納室１６内の当接部１６１に当接して圧迫力を発生して、ストッパー１６２に当接する。
【００２７】
係合帯３は、上記第一ケーシング体１１の入口１３から挿入された後、更に、上記出口１４から出て、上記ローラー２１の当接ブロック２２による圧迫力で、所定の位置に、当接される。また、上記係合帯３に、複数の固定孔３１が形成され、任意の固定孔３１が、上記ケーシングベース１の固定柱１５に係合固定でき、また、上記係合帯３で上記レバー２５を覆うことにより、衝撃を受けたとしても、弛緩及び脱離することを防止することができる。
【００２８】
本考案によれば、図１と図２に示すように、上記当接ユニット２を上記第一ケーシング体１１の半分の収納室１６内に設置し、上記当接ユニット２の軸棒２３の両端を、それぞれ、上記第一ケーシング体１１の摺動槽１８内に位置させ、第一ケーシング体１１を、上記第二ケーシング体１２に対向して結合し、高周波接着方式により、上記第一ケーシング体１１と上記第二ケーシング体１２とが、緊密に、結合固定されて、容易に分離することがない。また、上記軸棒２３の引棒２４が、上記第一ケーシング体１１のノッチ１９から伸び出し、上記第一ケーシング体１１に形成された摺動槽１８により、上記ローラー２１の軸棒２３の両端が、上記二つの摺動槽１８内において、所定の範囲に、変位でき、上記弾性素子２６の弾性力により、上記ローラー２１の当接ブロック２２が附勢されて、図３に示すように、それぞれ、上記第一ケーシング体１１の当接部１６１と上記第二ケーシング体１２のストッパー１６２に当接する。最後に、上記ケーシングベース１により、図４に示すように、ヘルメットＡの一側辺を固定する。また、上記第一ケーシング体１１とその出口１４及び固定柱１５は、上記ヘルメットＡの外側面へ向かって、上記係合帯３が、相対的に、上記ヘルメットＡのもう一側辺に固定され、上記のように、本考案に係るヘルメット係合具の組立てが終了する。
【００２９】
本考案によれば、図４と図５のように、上記ヘルメットＡを、ユーザーＢの頭部にセットした後、上記係合帯３を締める場合において、上記係合帯３を、上記ケーシングベース１の入口１３に挿入した後、上記係合帯３を挿入する力により、上記ローラー２１が後方へ押され、上記係合帯３が、上記ケーシングベース１の出口１４から伸び出す。上記ローラー２１が、後方へ押された時、同時に、上記弾性素子２６が圧縮する。上記係合帯３が、上記ローラー２１に、適当な長さを通すと、上記係合帯３が、適当に、ユーザーＢの下あごに収斂され、上記係合帯３が押されないと、上記ローラー２１が、上記弾性素子２６の弾性回復力により、上記ローラー２１の当接ブロック２２に当接して、それぞれ、元のように、上記第一ケーシング体１１の階段状当接部１６１と上記第二ケーシング体１２のストッパー１６２に当接し、上記当接ブロック２２と上記当接部１６１とが、互いに噛み合うことにより、上記係合帯３が、上記当接ブロック２２と上記当接部１６１との間に生成された圧迫力を受けるため、上記係合帯３が、上記入口１３から逆方向に上記ケーシングベース１の外へ引かれることがない。そのため、無段状態で、上記係合帯３に対して、係合する時の長さとその緊張度を自由に調整できる。最後に、上記出口１４から伸び出した係合帯３の固定柱１５に対応した固定孔３１を、上記ケーシングベース１の固定柱１５に係合固定する。これにより、弛緩することなく、迅速に、係合固定することができ、衝撃を受けても、容易に弛緩及び脱離をすることない。また、高速走行においても、風圧抵抗によって、所定の位置から外れ、同時に、上記ノッチ１９の両側にある係止片１９１が、当接作用を有し、上記係合帯３が、上記レバー２５を覆うから、上記レバー２５が、衝撃をうけたとしても、弛緩及び脱離することを防止することができる。
【００３０】
また、上記係合帯３を解除する場合やその緊張度を調整する場合、図６に示すように、上記係合帯３の固定孔３１を上記固定柱１５から外して、更に、上記ケーシングベース１の上記レバー２５を外側（後側）へ引くと、それと同時に、上記収納室１６内において、上記引棒２４とそのローラー２１が後側へ変位するように連動し、上記ローラー２１が、後側へ変位して、上記弾性素子２６を圧縮し、同時に、上記ローラー２１の当接ブロック２２が、上記係合帯３に当接しなくなる。これにより、上記当接ブロック２２が上記当接部１６１に対する圧迫力が消失し、上記係合帯３が、自由に、上記出口１４から退出でき、また、上記ローラー２１を通した後、更に、上記入口１３から退出する。これにより、上記係合帯３が、解除されて弛められ、または、上記係合帯３の緊張度を調整でき、上記係合帯３を緩めた後や緊張度が調整された後、上記レバー２５を放しただけで、上記弾性素子２６の弾性回復力により、迅速に、上記ローラー２１の当接ブロック２２が、それぞれ、元の位置に戻り、再び、上記第一ケーシング体１１の当接部１６１と第二ケーシング体１２のストッパー１６２に当接し、次の利用可能状態になる。
【００３１】
以上の説明は、考案の好適な実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００３２】
【図１】本考案の一実施形態によるヘルメット係合具の分解斜視図である。
【図２】本考案の一実施形態によるヘルメット係合具の斜視図である。
【図３】本考案の一実施形態によるヘルメット係合具をヘルメットに実装された状態の使用図である。
【図４】本考案の一実施形態によるヘルメット係合具をヘルメットに実装された状態の使用図である。
【図５】本考案の一実施形態によるヘルメット係合具のローラーの当接ブロックが当接部に当接して圧迫力を発生する状態の概念図である。
【図６】本考案の一実施形態によるヘルメット係合具の上記レバーを引いて係合帯を緩める場合の概念図である。
【図７】本考案の一実施形態によるヘルメット係合具の第一ケーシング体の二つの内側に摺動槽が形成された状態の概念図である。
【符号の説明】
【００３３】
１  ケーシングベース
１１  第一ケーシング体
１２  第二ケーシング体
１３  入口
１４  出口
１５  固定柱
１６  収納室
１６１  当接部
１６２  ストッパー
１７  固定部
１８  摺動槽
１９  ノッチ
１９１  係止片
２  当接ユニット
２１  ローラー
２２  当接ブロック
２３  軸棒
２４  引棒
２５  レバー
２５１  シース
２６  弾性素子
３  係合帯
３１  固定孔
Ａ  ヘルメット
Ｂ  ユーザー
【図１】
0003193324.tif 000003
【図２】
0003193324.tif 000004
【図３】
0003193324.tif 000005
【図４】
0003193324.tif 000006
【図５】
0003193324.tif 000007
【図６】
0003193324.tif 000008
【図７】
0003193324.tif 000009